(57)【要約】【課題】多数の構築基盤での使用に自動的に適応して、遠隔伝達装置の最終使用者によって聞かれるエコーを低減するように構成された装置及び方法が提供すること。【解決手段】本装置は、遠隔伝達装置からの情報をスピーカへ送信し、マイクロホンから遠隔伝達装置への情報を拾うように構成される。本装置及び本方法は、試験信号を発信し、この信号を送出聴覚性信号へ与えられるための位相変移量を算出するように処理することに向けられる。算出された位相変移量は、試験信号を消去するように設定される。【選択図】図３
2014060716.tif 000002
【特許請求の範囲】
【請求項１】
小部屋空間を有する構築基盤での使用のための装置であって、前記構築基盤は、スピーカとマイクロホンとを有し、前記装置は、前記スピーカ及び前記マイクロホンに電気的に連結され、遠隔伝達装置と無線通信され、前記遠隔伝達装置は、前記構築基盤から遠方に位置させられ、前記装置は、前記遠隔伝達装置においてエコーを低減又は消去するように構成され、前記装置は、
前記遠隔伝達装置から及び前記遠隔伝達装置へ聴覚性信号を受信及び送信するように構成された送受信機と、
前記スピーカを通して音の形式において試験信号を送信するように構成された試験信号の発生器であって、前記試験信号は前記マイクロホンによって受信される試験信号発生器と、
前記試験信号が送信されたときから前記試験信号が前記マイクロホンによって受信されたときの期間を検出するように構成された処理装置と、を具備し、前記処理装置は、前記処理装置と電気的に連結された位相変移器を有し、さらに、前記試験信号を消去するように設定される位相変移量を算出するように構成され、前記位相変移器は、算出された前記位相変移量を受け取って、前記遠隔伝達装置へ送信されるエコーを消去するように、前記算出された位相変移量を前記送受信機によって送信される送出聴覚性信号に与える前記構築基盤での使用のための装置。
【請求項２】
前記送受信機はブルートゥース方式である請求項１に記載の装置。
【請求項３】
前記処理装置は、アナログ聴覚性信号をデジタル形式に変換するように構成されたデジタル信号処理装置を含む請求項１又は２に記載の装置。
【請求項４】
前記処理装置は、新たな位相変移量を算出するように、算出されている位相変移量を消去するようにも、前記試験信号発生器を作動するようにも構成される請求項２又は３に記載の装置。
【請求項５】
さらに、前記試験信号の減衰を検出するように使用可能な第二センサを有する請求項２から４のいずれか一項に記載の装置。
【請求項６】
前記処理装置は、位相変移量を算出するために、前記試験信号の減衰と、前記試験信号が送信されたときから前記試験信号が前記マイクロホンによって受信されたときの期間との両方を処理し、前記位相変移量は、前記試験信号を消去するように設定され、前記位相変移器は、算出された前記位相変移量を受け取って、前記算出された位相変移量を前記送受信機によって送信される送出聴覚性信号へ与える請求項２から５のいずれか一項に記載の装置。
【請求項７】
前記処理装置は、前記試験信号を逆転するように設定される位相変移量を算出する請求項１に記載の装置。
【請求項８】
前記算出された位相変移量は、前記試験信号の１８０度だけ前記送出聴覚性信号を変移するように設定される請求項１又は７に記載の装置。
【請求項９】
さらに調整器を有し、前記調整器は、前記算出された位相変移量を手動的に調整するのに使用可能である請求項１に記載の装置。
【請求項１０】
装置においてエコーを自動的に低減するための方法であって、前記装置は、小部屋空間を有する構築基盤での使用のための装置であり、前記構築基盤は、スピーカとマイクロホンとを有し、前記装置は、遠隔伝達装置と無線通信され、前記遠隔伝達装置は、前記構築基盤から遠方に位置させられ、前記方法は、
前記遠隔伝達装置から及び前記遠隔伝達装置へ信号を受信及び送信するように構成された送受信機を提供する段階と、
前記スピーカを通して音の形式において試験信号を送信する段階であって、前記試験信号は前記マイクロホンによって受信されるようになっている段階と、
前記試験信号が送信されたときから前記試験信号が前記マイクロホンによって受信されたときの期間を検出する段階と、
前記試験信号を消去するように設定される位相変移量を算出する段階と、
算出された前記位相変移量を前記送受信機によって送信される送出聴覚性信号へ与える段階と、を有する前記装置においてエコーを自動的に低減するための方法。
【請求項１１】
前記送受信機はブルートゥース方式である請求項１０に記載の方法。
【請求項１２】
さらに、前記試験信号を発生するように構成された試験信号発生器を提供する段階を有する請求項１０に記載の方法。
【請求項１３】
さらに、前記試験信号が送信されたときから前記試験信号が前記マイクロホンによって受信されたときの期間を検出するように構成された処置装置を提供する段階を有する請求項１０に記載の方法。
【請求項１４】
前記処理装置は、アナログ聴覚性信号をデジタル形式に変換するように構成されたデジタル信号処理装置を含む請求項１０から１３のいずれか一項に記載の方法。
【請求項１５】
前記処理装置は、新たな位相変移量を算出するように、算出されている位相変移量を消去するようにも、前記試験信号発生器を作動するようにも構成される請求項１０から１３のいずれか一項に記載の方法。
【請求項１６】
さらに、予め定められた状態を検出し、前記予め定められた状態の検出時に、算出されている位相変移量を消去し、前記試験信号発生器を作動し、新たな位相変移量を算出するように、前記処理装置を作動する段階を有する請求項１０から１５のいずれか一項に記載の方法。
【請求項１７】
さらに、入力器を提供する段階を有し、前記入力器は、前記入力器の作動時に、算出されている位相変移量を消去し、前記試験信号発生器を作動し、新たな位相変移量を算出するように、前記処理装置を作動するように構成される請求項１０から１５のいずれか一項に記載の方法。
【請求項１８】
さらに、前記試験信号の減衰を検出する段階を有する請求項１０に記載の方法。
【請求項１９】
前記処理装置は、位相変移量を算出するために、前記試験信号の減衰と、前記試験信号が送信されたときから前記試験信号が前記マイクロホンによって受信されたときの期間との両方を処理し、前記位相変移量は、前記試験信号を消去するように設定され、前記位相変移器は、算出された前記位相変移量を受け取って、前記算出された位相変移量を前記送受信機によって送信される送出聴覚性信号へ与える請求項１０又は１８に記載の方法。
【請求項２０】
前記処理装置は、前記試験信号を逆転するように設定される位相変移量を算出する請求項１０に記載の方法。
【請求項２１】
前記算出された位相変移量は、前記試験信号の１８０度だけ前記送出聴覚性信号を変移するように設定される請求項１０に記載の方法。
【請求項２２】
さらに、調整器を提供する段階を有し、前記調整器は、前記算出された位相変移量を手動的に調整するのに使用可能である請求項１０に記載の方法。
【発明の詳細な説明】
【技術分野】
【０００１】
本発明は、遠隔伝達装置の最終使用者によって聞かれるエコーを低減するための装置及び方法に関する。特に、本装置及び本方法は、試験信号を送信し、この信号を遠隔伝達装置によって受信される送出聴覚性信号に与えられる位相変移量を算出するように処理するよう構成される。
【背景技術】
【０００２】
使用者と最終使用者との間の言葉の情報のような可聴信号を送信するように構成された装置は、エコー消去を利用する。エコー消去は、遠隔携帯電話の最終使用者が彼女又は彼自身の声を聴くことを防止するように機能する。例えば、エコー消去なしには、最終使用者の言葉の情報は、スピーカから小部屋へ送られ、装置のマイクロホンによって拾われ、携帯電話の最終使用者へ送り返される。
【０００３】
図１Ａ及び１Ｂを参照すると、一つの装置が、例示的に、構築基盤に取り付けられて図示されている。構築基盤は、少なくとも一つのスピーカ及びマイクロホンを有している。本装置は、スピーカを通して音を送り、マイクロホンによって拾われた音を遠隔伝達装置へ処理して送るように構成されている。例示のために、図１Ａは、構築基盤が、小部屋空間の各角のそれぞれの四つのスピーカと、運転者側のＡピラーに隣接して取り付けられたマイクロホンとを有する自動車であることを図示している。図示されたように、各スピーカは、Ｄａ１、Ｄａ２、Ｄａ３、及び、Ｄａ４のそれぞれによって示されたように、マイクロホンから異なる距離離れて位置させられる。
【０００４】
図１Ｂを参照すると、構築基盤は、同様に、自動車として例示されている。構築基盤は、六つのスピーカと、運転者側のＡピラーに隣接して取り付けられたマイクロホンとを有している。各スピーカは、Ｄｂ１、Ｄｂ２、Ｄｂ３、Ｄｂ４、Ｄｂ５、及び、Ｄｂ６のそれぞれによって示されたように、マイクロホンから他とは異なる距離離れて位置させられる。
【０００５】
本装置は、最終使用者から及び最終使用者へデジタル信号を受信及び送信するように構成された送受信機を有している。本装置は、さらに、送受信機と電気的に連結する処置装置を有している。処置装置は、送受信機からのデジタル信号をアナログ形式の聴覚性信号へ処理するように構成されている。聴覚性信号は、スピーカへ送信されて小部屋空間内へ伝えられる。マイクロホンは、小部屋空間内から聴覚性信号を受け取るように構成されている。聴覚性信号は、次いで、デジタル化され、送受信機へ導かれる。送受信機は、遠隔伝達装置へデジタル化された信号を送信する。こうして、遠隔伝達装置の使用者は、彼女又は彼自身の声のエコーを聞くであろう。
【０００６】
従って、送出聴覚性信号へ位相変移を与えることが公知であり、これは最終使用者の言葉の情報を消去又は減少させる。こうして、最終使用者は、構築基盤の小部屋空間内の使用者から言葉の情報だけを聞く。位相変移量は、装置内にプログラムされ、乗り物のような構築基盤に組み込まれても良い。
【発明の概要】
【発明が解決しようとする課題】
【０００７】
しかしながら、エコーを消去させるように設定される位相変移量は、マイクロホンに関するスピーカの距離及び処理装置によって受信される最終使用者の聴覚性信号の減衰のような因子に依存する。従って、一つの構築基盤のエコー消去において効果的な装置は、異なる構築基盤のエコー消去において効果的でないかもしれない。例えば、図１Ａの構築基盤内でエコーを消去するように設定された位相変移量は、図１Ｂの構築基盤において効果的でないかもしれない。こうして、異なるスピーカ配置の構築基盤に渡る使用に適応するようにエコーを消去するために、それ自身を自動的に調整する装置を有することが望まれたままである。
【課題を解決するための手段】
【０００８】
遠隔伝達装置においてエコーを低減又は消去するように構成された装置が提供される。本装置は、さらに、多数の構築基盤に渡る使用に適応するようにエコーを低減又は消去するために自身を自動的に調整するように構成されても良い。
【０００９】
本装置は、双方向の伝達を容易にするように、遠隔伝達装置からの信号をスピーカに送信し、マイクロホンからの聴覚性信号を遠隔伝達装置へ送信するように構成される。本装置は、遠隔伝達装置から及び遠隔伝達装置へデジタル信号を受信及び送信するように構成された送受信機を有している。送受信機は、処置装置と電気的に連結される。処置装置は、送受信機から受信したデジタル信号をアナログ信号の形式の聴覚性信号に処理するように構成される。アナログ信号は、スピーカへ送信される。スピーカは、マイクロホンにより拾われて処置装置へ送られる音を発生する。処置装置は、この音をデジタル化し、送受信機は、遠隔伝達装置の最終使用者へデジタル化された音を送信する。
【００１０】
本装置は、スピーカを通して音の形式の試験信号を送信するように構成された試験信号発生器を有する。試験信号は、スピーカを通して送信され、マイクロホンによって受信される。マイクロホンは、試験信号を処置装置へ送信する。処置装置は、ここでは「遅れ」としても参照される試験信号が試験信号発生器によって送信された時から試験信号がマイクロホンによって受信された時の期間を検出するように構成される。
【００１１】
本装置は、さらに、位相変移器を有している。位相変移器は、処置装置と電気的に連結されている。処置装置は、さらに、試験信号を消去するように設定される位相変移量を算出するように、遅れを処理するよう構成される。算出された位相変移量は、位相変移器に送られ、位相変移器は、算出された位相変移量を送受信機によって送信される送出信号に与えるように構成される。こうして、任意の送出信号は、遠隔伝達装置からの到来聴覚性信号を減少及び消去するように、変移される。好ましくは、位相変移量は、１８０度だけ試験信号を変移するように設定される。従って、本装置は、最終使用者によって聞かれるエコーを低減及び消去するように構成される。さらに、本装置は、スピーカ及びマイクロホンの配置に関係なく多数の構築基盤に渡る使用に適応するかもしれない。
【００１２】
遠隔伝達装置においてエコーを自動的に低減するための方法も、ここに提供される。本方法は、遠隔伝達装置から及び遠隔伝達装置へデジタル信号を受信及び送信するように構成された送受信機を提供する段階を有している。送受信機は、最終使用者の伝達装置からのデジタル信号を処理装置へ送信する。処理装置は、デジタル信号をアナログ信号へ変換するように構成される。処理装置は、次いで、アナログ信号をスピーカへ送信する。スピーカは、アナログ信号を構築基盤の小部屋空間へ伝える。
【００１３】
本方法は、スピーカを介する音の形式において試験信号を送信する段階を有している。試験信号は、次に、マイクロホンによって受信される。本方法は、試験信号が送信された時から試験信号がマイクロホンによって受信された時の期間を検出する段階を行う。
【００１４】
本方法は、試験信号を消去するように設定される位相変移量を算出する段階を行う。本方法は、算出された位相変移量を送受信機によって送信される送出信号に与える段階を行う。従って、遠隔伝達装置によって受信される信号は、遠隔伝達装置によって送信される可聴情報が、最終使用者の伝達装置によって受信される送出信号から消去又は低減されるように変更される。
【００１５】
本発明の他の利点は、以下の添付図面に関して考慮されるときに、以下の詳細な記述を参照することによって、より良好な理解となるように、容易に理解されるであろう。
【図面の簡単な説明】
【００１６】
【図１Ａ】スピーカ及びマイクロホンの配置を示す一つの構築基盤の内部小部屋空間の例示的な図である。
【図１Ｂ】異なるスピーカ及びマイクロホンの配置を示す図１Ａに示す構築基盤以外の構築基盤の内部小部屋空間の例示的な図である。
【図２】本装置によって発生させられ処理される試験信号と遠隔伝達装置とを示す図である。
【図３】本装置によって処理される聴覚性信号と遠隔伝達装置とを示す図である。
【図４】遠隔伝達装置においてエコーを自動的に低減する方法のための段階を示す図である。
【発明を実施するための形態】
【００１７】
図面を参照すると、同じ番号は、幾つかの図を通して対応する部材を示しており、遠隔伝達装置１２においてエコーを低減又は消去するように構成された装置１０が設けられる。装置１０は、さらに、多数の構築基盤１４に渡る使用に適応するように、エコーを低減又は消去するために自動的に自身を調整するように構成されても良い。
【００１８】
先ずは、図３を参照すると、装置１０の例示的な実施形態が提供される。装置１０は、双方向の伝達を容易にするように、スピーカを通して音を送り、マイクロホンによって拾われた音を遠隔伝達装置へ処理して送るように構成される。スピーカ１８及びマイクロホン２０は、自動車のような小部屋空間１６を有する構築基盤１４に取り付けられる。スピーカ１８は、小部屋空間１６内へ聴覚性信号２２を伝えるように構成され、マイクロホン２０は、聴覚性信号２２を受信するように構成される。
【００１９】
装置１０は、送受信機２４及び処理装置２６を有している。送受信機２４は、最終使用者によって操作される遠隔伝達装置１２から及び遠隔伝達装置へ特にＳRCD及びＳSSのそれぞれの少なくとも一方として参照されるデジタル信号２８を受信及び送信するように構成される。本技術分野において一般に公知で使用される任意の送受信機２４が、ここでの使用に適応されても良く、例示的には、ブルートゥース方式３０として一般的に参照される送受信機２４を含んでいる。処理装置２６は、送受信機２４と電気的に連結される。処理装置２６は、送受信機２４からのデジタル信号２８ＳRCDを聴覚性信号２２へ処理するように構成されている。
【００２０】
図２を参照すると、装置１０は、さらに、試験信号発生器３２を有している。試験信号発生器３２は、ここでＳ１としても参照される試験信号３４を送信するように構成される。試験信号発生器３２は、図２及び３に図示されたように、スピーカ１８へ直接的に聴覚性信号を送信するように構成された独立装置であっても良い。選択的に、試験信号３４は、デジタル形式において発生されて、試験信号３４がアナログ信号へ変換される処理装置２６へ送信されても良い。アナログ信号は、ビープ音のような音の形式においてスピーカ１８へ送信される。この音は、人の可聴範囲内であっても良い。好ましくは、試験信号３４は、マイクロホン２０によって拾われるように設定される。試験信号３４は、好ましくは、短い破裂音的に送信される。試験信号３４は、スピーカ１８を通して送信され、マイクロホン２０によって受信される。試験信号３４は、ここでＳ１´として参照されるように減衰によって変更されるかもしれない。
【００２１】
処理装置２６は、マイクロホン２０と電気的に連結される。処理装置２６は、さらに、試験信号３４が送信された時から試験信号３４がマイクロホン２０によって受信された時の期間を検出するように構成されても良い。例えば、処理装置２６は、試験信号３４が送信された時に起動されてマイクロホン２０が試験信号３４を拾った時に停止されるタイマを有してプログラムされても良い。マイクロホン２０は、構築基盤１４の小部屋空間１６内の各スピーカ１８からの聴覚性情報を受け取る。図１Ａ及び１Ｂに図示されるように、各スピーカ１８は、マイクロホン２０から他とは異なる距離において位置させられても良い。こうして、試験信号３４は、異なる時刻においてマイクロホン２０により受信されるかもしれない。従って、処置装置２６は、試験信号３４の情報とスピーカ１８からの試験信号３４の最後の情報との間の期間を検出するように構成されても良い。多くの例において、マイクロホン２０によって受け取られる最後の情報は、マイクロホン２０から最も遠い距離のスピーカ１８によってなされる。
【００２２】
本装置１０は、さらに、処置装置２６と電気的に連結する位相変移器３６を有している。処理装置２６は、さらに、試験信号３４を消去するように設定された位相変移量を算出するように構成される。算出された位相変移量３８は、ここで「−Ｓ１´」としても参照され、位相変移器３６へ送られる。位相変移器３６は、遠隔伝達装置１２を操作する最終使用者によって聞かれるエコーを低減するように、送受信機２４によって送信される次の送出聴覚性信号４０へ算出された位相変移量３８を与える。好ましくは、処置装置２６は、試験信号３４を逆転するように設定された位相変移量を算出する。例えば、算出された位相変移量は、マイクロホン１８によって受信される信号へ１８０度の位相変移量を与える。変更された信号は、到来信号とほぼ同じ振幅を有するが、送出信号から到来信号を消去するように１８０度変移される。
【００２３】
本装置１０は、自動車のような小部屋空間１６を有する構築基盤１４に取り付けられても良い。本装置１０を作動すると、試験信号発生器３２が、スピーカ１８を通して送信される試験信号３４を発生する。本装置１０が図１Ａ及び１Ｂに図示されるように多数のスピーカ１８を有しても良いことは理解されるべきである。試験信号Ｓ１´は、マイクロホン２０によって拾われる。処理装置２６は、試験信号Ｓ１が発生されたときから開始されて試験信号Ｓ１´がマイクロホン２０のよって受信されたときのここでは「遅れ」として参照される期間を測定する。処置装置２６は、この遅れを処理し、試験信号３４を消去するか、又は、所望の許容程度へ試験信号３４の形状を減少するように設定される位相変移量を算出する。算出された位相変移量３８は、マイクロホン２０から受信される次の聴覚性信号２２へ与えられる。
【００２４】
作動において、遠隔伝達装置１２を操作する最終使用者からのデジタル形式の可聴情報（ＳRCDとして参照される）は、送受信機２４へ送信される。送受信機２４は、デジタル信号２８ＳRCDを処理装置２６へ送信する。デジタル信号２８ＳRCDは、アナログ形式に変換され、ＳRCD´として単数又は複数のスピーカ１８へ送信される。デジタル信号２８ＳRCD´は、構築基盤１４の小部屋空間１６内の使用者からの任意の聴覚性情報（ＳSS）と共に、マイクロホン２０によって拾われる。
【００２５】
従って、マイクロホン２０は、両方の可聴情報ＳRCD´、ＳRCD´´（場合によっては）及びＳSSを受け取る。処理装置２６は、算出された位相変移量３８をＳRCD´、ＳRCD´´、及びＳSSへ与え、ここで、ＳRCD´、ＳRCD´´は、信号ＳSS´を形成するように消去させられる。ＳSS´は、与えられた−Ｓ１´を有した後のＳRCD´、ＳRCD´´の任意の残余形状と共に、ＳSSの形状を有する信号である。ＳSS´は、送受信機２４へ送信され、次に、デジタル形式において遠隔伝達装置１２へ送信される。従って、本装置１０は、遠隔伝達装置１２を操作する最終使用者によって聞かれるエコーを低減する。
【００２６】
位相変移器３６は、処理装置２６に一体化されても良い。例えば、処置装置２６は、算出された位相変移量３８をデジタル信号２８に与えるように構成されたファームウェア及びハードウェアを有していても良い。本技術分野において一般に公知で使用される任意のこのような処理装置２６が、ここでの使用のために適応されても良く、例示的に、デジタル信号処理器４２を含んでいる。こうして、プログラム及びハードウェアを通して、デジタル信号は、算出された位相変移量の適用によって変更されても良い。変更されたデジタル信号Ｓ２´は、送受信機２４を介して遠隔伝達装置１２へ送信され、ここで、遠隔伝達装置１２の処置器は、変更されたデジタル信号Ｓ２´をアナログ形式へ変換するように構成されている。
【００２７】
本装置１０は、さらに、指令より又は経験状態により自動的に自身を調整するように構成されても良い。例えば、本装置１０は、新たに算出される位相変移量３８を算出するように、算出されている位相変移量３８を消去して信号発生器を作動するように処理装置２６を作動するよう構成された入力器４４を有しても良い。入力器４４は、構築基盤１４の小部屋空間１６内に晒された表面に取り付けられても良い。選択的に、処理装置２６は、エンジンが１万マイル（１６０９３ｋｍ）運転されたような予め定められた状態を本装置が経験するときに、新たな位相変移量を算出するように、自動的に、算出されている位相変移量３８を消去して信号発生器を作動することができても良い。
【００２８】
本装置１０は、さらに、使用者による指令により自身を調整するように構成されても良い。例えば、本装置１０は、調整器４６を有しても良い。調整器４６は、算出された位相変移量３８を調整するように使用可能である。調整器４６は、処理装置２６と連結され、算出された位相変移量３８を手動で調整するように、算出された位相変移量３８を調整するよう構成される。例えば、遠隔伝達装置１２の使用者は、本装置１０の使用者に、彼又は彼女が、エコーを経験しており、又は、さもなければ劣悪な可聴情報を受け取っていることを通知しても良い。本装置１０の使用者は、遠隔伝達装置１２の最終使用者によって聞かれる可聴情報を手動で改善しようとして算出された位相変移量３８を変更するように、調整器４６を作動しても良い。ここでの使用のために、算出された位相変移量３８の変更は、算出された位相変移量３８の振幅又は周波数の増加又は減少、又は、算出された位相変移量３８の周期の変移を含んでいる。調整器４６は、半ラジアンのプラス又はマイナスのような予め定められた限度によって位相変移量を調整するように構成されたダイヤルであっても良い。
【００２９】
状態は、湿度又は温度のような音速に影響する他の周囲要因により影響されるかもしれない。例えば、処理装置２６は、第一センサ４８と電気的に連結されても良い。第一センサ４８は、小部屋空間１６の周囲状態を検出するのに使用可能である。例えば、第一センサ４８は、小部屋空間１６の温度を検出するように構成された温度調節器であっても良い。第一センサ４８は、構築基盤１４の小部屋空間１６内の温度が予め定められた温度を超えるときに新たな位相変移量を算出するように、自動的に、算出されている位相変移量３８を消去して試験信号発生器３２を作動するために処理装置２６を作動するように、温度を処理装置２６へ送る。例えば、第一センサ４８は、構築基盤１４の小部屋空間１６内の温度が華氏１００度を超えるときに新たな位相変移量を算出するように、自動的に、算出されている位相変移量３８を消去して試験信号発生器３２を作動するために処理装置２６を作動しても良い。選択的に、処理器が、小部屋内の湿度を検出するように構成された第一センサ４８と電気的に連結されて、構築基盤１４の小部屋空間１６内の湿度が予め定められた湿度を超えるときに新たな位相変移量を算出するように、自動的に、算出されている位相変移量３８を消去して信号発生器を作動するのに使用可能であっても良い。
【００３０】
本装置１０は、さらに、可聴信号Ｓ１を増幅するように構成された増幅器５０を有しても良い。増幅器５０は、ＳRCD´及びＳRCD´´によって示されるようなスピーカ１８から発せられるアナログ聴覚性信号の減衰を引き起こすかもしれない。減衰は、可聴信号Ｓ１と信号Ｓ１´との比較によって検出されても良い。例えば、処理装置２６は、到来信号Ｓ１及び信号Ｓ１´を記録するように構成され、これら二つを比較するようにプログラムされても良い。
【００３１】
試験信号３４（Ｓ１´）の検出された減衰は、処理装置２６へ送られる。処理装置２６は、さらに、試験信号３４（Ｓ１´）の減衰と、位相変移量を算出するための試験信号３４が送信された時から試験信号３４がマイクロホン２０によって受信された時の期間との両方を処理するように構成されても良い。算出された位相変移量３８は、試験信号３４を消去するように設定される。算出された位相変移量３８は、位相変移器３６へ送られ、処理装置２６は、算出された位相変移量３８を送受信機２４によって送信される送出聴覚性信号４０へ与えるように構成される。処理装置２６、送受信機２４、試験信号発生器３２、及び、位相変移器３６は、単一の装置としてまとめられても良い。例えば、処理装置２６、送受信機２４、試験信号発生器３２、及び、位相変移器３６は、回路基板上に又はヘッドユニットとして一般的に公知のマルチメディア装置のハウシング内に形成されても良い。
【００３２】
単数又は複数のスピーカ１８を通して音を送り、マイクロホン２０によって拾われた音を処理して遠隔伝達装置へ送るように構成された装置１０と連結する遠隔伝達装置１２においてエコーを低減するための方法５４も提供される。本方法５４は、遠隔伝達装置１２の最終使用者によって聞かれるエコーを自動的に又は手動的に低減することに向けられるかもしれない。本装置１０は、スピーカ１８及びマイクロホン２０を有する構築基盤１４に取り付けられても良い。スピーカ１８からの可聴信号は、マイクロホン２０によって受信され、デジタル形式において遠隔伝達装置１２へ送信される。
【００３３】
本方法５４は、遠隔伝達装置１２から及び遠隔伝達装置へデジタル信号２８を受信及び送信するように構成された送受信機２４を提供する段階を有している。本技術分野において一般に公知で使用される任意の送受信機２４が、ここでの使用に適応されても良く、例示的には、ブルートゥース方式３０として一般的に参照される送受信機２４を含んでいる。送受信機２４は、遠隔伝達装置１２からの可聴情報を伝えるデジタル信号２８を受信する。デジタル信号２８は、アナログ信号に変換され、スピーカ１８を通して送信される。
【００３４】
送受信機２４は、さらに、マイクロホン２０からの聴覚性信号２２を受信するように構成されている。マイクロホン２０は、アナログ形式の聴覚性情報を拾って、このアナログ信号を処理装置２６へ送信する。処理装置２６は、アナログ信号をデジタル形式に変換する。デジタル信号２８は、送受信機２４から遠隔伝達装置１２へ送信される。本技術分野において一般に公知で使用される任意の送受信機２４が、ここでの使用に適応されても良く、例示的には、ブルートゥース方式３０を含んでいる。
【００３５】
本方法５４は、試験信号３４を送信する段階を有している。試験信号３４は、試験信号発生器３２によって発生されても良い。試験信号３４は、デジタル形式で提供され、アナログ信号に変換され、ビープ音のような音の形式においてスピーカ１８へ送信されても良い。この音は、人の可聴範囲内であっても良い。試験信号３４は、次に、マイクロホン２０によって受信される。
【００３６】
試験信号３４は、マイクロホン２０によって拾われるかもしれない予め定められた振幅及び周波数を有して発生させられる。試験信号３４は、好ましくは、短い破裂音的に送信される。試験信号３４は、スピーカ１８を通して送信され、マイクロホン２０によって受信される。
【００３７】
本方法５４は、試験信号３４が送信された時から試験信号３４がマイクロホン２０によって受信された時の期間を検出する段階を行う。この期間は、試験信号３４が送信された時から試験信号３４がマイクロホン２０によって受信された時の期間を検出するように構成された処理装置２６によって検出されても良い。本方法５４は、試験信号３４を消去するように設定された位相変移量を算出する段階を行う。処理装置２６は、さらに、試験信号３４を消去するのに使用可能な位相変移量を算出するために、検出された期間を処理するように構成されても良い。
【００３８】
本方法５４は、送受信機２４によって送信される送出デジタル信号２８へ算出された位相変移量３８を与える段階を行う。変更された送出デジタル信号２８は、送受信機２４によって遠隔伝達装置１２へ送信され、ここで、算出された位相変移量３８の適用は、遠隔伝達装置の最終使用者によって聞かれるエコーを消去する。好ましくは、処置装置２６は、試験信号３４を逆転するように、１８０度の位相変移量を算出する。こうして、最終使用者の装置からの聴覚性信号２２は、受信器によって送信されて最終使用者の伝達装置によって受信される送出聴覚性信号４０から消去させられ、又は、低減させられる。
【００３９】
本方法５４は、位相変移器３６を提供する段階を有しても良い。位相変移器３６は、算出された位相変移量３８を、送受信機２４によって送信される送出聴覚性信号４０に与えるように構成されている。位相変移器３６は、（−Ｓ１´）としても参照される算出された位相変移量３８を、変更された信号をもたらすように、マイクロホン２０から受信されたデジタル信号へ与える。処理装置２６は、算出された位相変移量３８をＳRCD´、ＳRCD´´、及びＳSSへ与えるように構成されたデジタル信号処理器４２であっても良く、ここで、ＳRCD´、ＳRCD´´は、信号ＳSS´を形成するように消去される。信号ＳSS´は、与えられた−Ｓ１´を有した後のＳRCD´、ＳRCD´´の任意の残余形状と共に、ＳSSの形状を有する変更された信号である。ＳSS´は、送受信機２４へ送信され、次に、デジタル形式において遠隔伝達装置１２へ送信される。
【００４０】
位相変移器３６は、ハードウェア及びファームウェアの使用を通して処理装置２６に組み込まれても良い。本技術分野において一般に公知で使用される任意のこのような処理装置２６が、ここでの使用のために適応されても良く、例示的に、デジタル信号処理器４２を含んでいる。デジタル信号処理器４２は、アナログ聴覚性信号２２を、デジタル形式に、及び、コード変更の実施を通して、算出された位相変移量３８を含むデジタル形式に変換するように構成される。こうして、プログラム及びハードウェアを通して、デジタル信号は、位相変移量の適用によって変更されても良い。
【００４１】
本方法５４は、さらに、予め定められた状態を検出し、予め定められた状態の検出時に新たな位相変移量を算出する段階を有しても良い。例えば、処理装置２６は、エンジンが１万マイル（１６０９３ｋｍ）運転されたような予め定められた状態を本装置１０が経験するときに新たな位相変移量を算出するように、自動的に、算出されている位相変移量３８を消去して信号発生器を作動することができても良い。
【００４２】
本方法５４は、小部屋空間１６の周囲状態を検出するのに使用可能な第一センサ４８を提供する段階を有しても良い。例えば、第一センサ４８は、小部屋空間１６の温度を検出するように構成された温度調節器であっても良い。第一センサ４８は、構築基盤１４の小部屋空間１６内の温度が華氏１００度を超えるときに新たな位相変移量を算出するように、自動的に、算出されている位相変移量３８を消去して信号発生器を作動するために処理装置２６を作動するように、温度を処理装置２６へ送る。選択的に、処理器が、小部屋内の湿度を検出するように構成された第一センサ４８と電気的に連結されて、構築基盤１４の小部屋空間１６内の湿度が予め定められた湿度を超えるときに新たな位相変移量を算出するように、自動的に、算出されている位相変移量３８を消去して信号発生器を作動するのに使用可能であっても良い。
【００４３】
本方法５４は、さらに、新たな位相変移量３８を算出するように、算出されている位相変移量３８を消去して信号発生器を作動するように、処理装置２６を作動するよう構成された入力器４４を提供する段階を有しても良い。例えば、入力器４４は、構築基盤１４に取り付けられたボタンであっても良い。
【００４４】
本方法５４は、さらに、試験信号３４の減衰を検出する段階を有しても良い。この減衰は、第二センサ５２によって、又は、信号発生器３２によって送信される試験信号Ｓ１とスピーカ１８によって送信されてマイクロホン２０によって受信される信号Ｓ１´との比較によって検出されても良い。試験信号Ｓ１´は処理装置２６へ送られ、ここで、Ｓ１及びＳ１´は、減衰を算出するために、比較されて処理される。
【００４５】
本方法５４は、さらに、信号Ｓ１の減衰と、位相変移量を算出するための遅れとの両方を処理する段階を有しても良い。算出された位相変移量３８は、試験信号３４，Ｓ１´を消去するように設定される。算出された位相変移量３８は、送受信機２４を介して遠隔伝達装置１２へ送信されるためにマイクロホン２０によって拾われるスピーカ１８の次の可聴情報に与えられる。
【００４６】
本方法５４は、さらに、算出された位相変移量３８を手動で調整する段階を有しても良い。調整器４６が設けられても良い。調整器４６は、算出された位相変移量３８を手動で調整するように構成される。調整器４６は、処理装置２６と連結され、算出された位相変移量３８を手動で調整するように、算出された位相変移量３８を調整するよう構成される。例えば、遠隔伝達装置１２の使用者は、本装置１０の使用者に、彼又は彼女が、エコーを経験しており、又は、さもなければ劣悪な可聴情報を受け取っていることを通知しても良い。
【００４７】
明らかに、本発明の多くの変更又は変形が、上述の教示の観点において可能であり、添付特許請求の範囲の範囲内に特に開示した以外の方法で実施されても良い。
【符号の説明】
【００４８】
１４    構築基盤
１６    小部屋空間
１８    スピーカ
２０    マイクロホン
２２    聴覚性信号
【図１Ａ】
2014060716.tif 000003
【図１Ｂ】
2014060716.tif 000004
【図２】
2014060716.tif 000005
【図３】
2014060716.tif 000006
【図４】
2014060716.tif 000007